(57)【要約】【課題】コネクタの径方向のスペースに制約がある場合でも使用できる小型のコネクタを提供する。【解決手段】フード部１４を有する機器側コネクタハウジング１２と、フード部１４内に嵌合可能な電線側コネクタハウジング２１と、電線側コネクタハウジング２１の機器側コネクタハウジング１２との嵌合方向の後方側に設けられ、フード部１４の開口を閉塞するカバー３０と、を備え、カバー３０およびフード部１４に、カバー３０がフード部１４に対してロック状態とされることにより電線側コネクタハウジング２１を機器側コネクタハウジング１２に対して正規の嵌合位置に保持するためのロック機構（弾性係止片３４の係止部３４Ａおよび係止孔１５）が設けられている。【選択図】図６
2014212064.tif 000002
【特許請求の範囲】
【請求項１】
フード部を有する一方のコネクタハウジングと、
前記フード部内に嵌合可能な他方のコネクタハウジングと、
前記他方のコネクタハウジングの前記一方のコネクタハウジングとの嵌合方向の後方側に設けられ、前記フード部の開口を閉塞するカバーと、を備え、
前記カバーおよび前記フード部に、前記カバーが前記フード部に対してロック状態とされることにより前記他方のコネクタハウジングを前記一方のコネクタハウジングに対して正規の嵌合位置に保持するためのロック機構が設けられていることを特徴とするコネクタ。
【請求項２】
前記ロック機構は、前記カバーに設けられて該カバーの径方向内側に変位可能な弾性ロック片と、前記フード部に設けられて前記弾性ロック片と係合可能なロック受け部であることを特徴とする請求項１に記載のコネクタ。
【請求項３】
前記他方のコネクタハウジングには前記嵌合方向の後方側に向けて延びるボスが設けられているとともに、前記カバーに前記ボスを受けるボス受け部が設けられていることを特徴とする請求項１または請求項２に記載のコネクタ。
【請求項４】
前記他方のコネクタハウジングには前記嵌合方向の後方側に向けて延びるボスが設けられているとともに、前記カバーに前記ボスを挿通させるためのボス挿通孔が設けられていることを特徴とする請求項１ないし請求項３のいずれか一項に記載のコネクタ。
【請求項５】
前記他方のコネクタハウジングの前記嵌合方向の後方側の端面に、前記他方のコネクタハウジングと前記フード部との間を水密状態とする一括ゴム栓が設けられており、前記ロック受け部は前記一括ゴム栓よりも前記フード部における前記嵌合方向の前方側に設けられていることを特徴とする請求項２ないし請求項４のいずれか一項に記載のコネクタ。
【請求項６】
前記カバーに、前記他方のコネクタハウジングに向けて延びて前記他方のコネクタハウジングを前記嵌合方向の後方側から押圧・保持する押さえ部が設けられていることを特徴とする請求項１ないし請求項５のいずれか一項に記載のコネクタ。
【発明の詳細な説明】
【技術分野】
【０００１】
本発明は、コネクタに関する。
【背景技術】
【０００２】
自動車の配線に使用されるコネクタとして、互いに嵌合可能な一対のコネクタハウジングのうち、一方のコネクタハウジングに設けられた筒状のフード部内に、他方のコネクタハウジングの嵌合部を嵌合させるものがある。
【０００３】
この種のコネクタでは、例えば、一方のコネクタハウジングの上面に設けられた撓み変形可能なロックアームを、他方のコネクタハウジングに係止させることにより、両コネクタをロック状態とする。具体的には、ロックアームは雌雄のコネクタハウジングが嵌合するときには、ロックアーム上に設けられた係止突部が他方のコネクタハウジングの前端縁に当接し、係止突部の上面に形成されたテーパー面によって撓み動作が案内されるようになっている。そして、両コネクタハウジングが正規嵌合状態になると、ロックアームは弾性復帰し、係止突部が相手側コネクタハウジングに係止してハウジング同士をロック状態に保持する。この種のコネクタとしては、例えば下記特許文献１のものなどが知られている。
【先行技術文献】
【特許文献】
【０００４】
【特許文献１】特開平４−１２４７７号
【発明の概要】
【発明が解決しようとする課題】
【０００５】
しかし上述したような形態のコネクタでは、コネクタの径方向にロックアームが大きく張り出すため、嵌合部の周囲のスペースに制約がある場合に大型で使用できないという問題がある。
【０００６】
本発明は上記のような事情に基づいて完成されたものであって、コネクタの径方向のスペースに制約がある場合でも使用できる小型のコネクタを提供することを目的とするものである。
【課題を解決するための手段】
【０００７】
上記課題を解決するためになされた本発明は、フード部を有する一方のコネクタハウジングと、前記フード部内に嵌合可能な他方のコネクタハウジングと、前記他方のコネクタハウジングの前記一方のコネクタハウジングとの嵌合方向の後方側に設けられ、前記フード部の開口を閉塞するカバーと、を備え、前記カバーおよび前記フード部に、前記カバーが前記フード部に対してロック状態とされることにより前記他方のコネクタハウジングを前記一方のコネクタハウジングに対して正規の嵌合位置に保持するためのロック機構が設けられているところに特徴を有する。
【０００８】
本発明によれば、一方および他方のコネクタハウジングの嵌合状態をロックするロック機構が、両コネクタハウジングの嵌合方向に沿った方向に設けられるカバーおよびフード部に設けられる構成とした。従って、ロック機構がコネクタの径方向に張り出すことがなく、コネクタの径方向の寸法を従来と比較して小型化することができる。
【０００９】
上記ロック機構は、カバーに設けられて該カバーの径方向内側に変位可能な弾性ロック片と、フード部に設けられて弾性ロック片と係合可能なロック受け部としてもよい。
【００１０】
また、他方のコネクタハウジングに嵌合方向の後方側に向けて延びるボスを設け、カバーにボスを受けるボス受け部を設けるようにしてもよい。このようにすると、フード部に対してカバーを装着する際に、カバーのボス受け部がボスを受けて嵌合方向の前方側に向けて押圧するから、他方のコネクタハウジングを正規嵌合位置まで確実に押し込むことができる。
【００１１】
また、カバーに、ボスを挿通させるためのボス挿通孔を設ける構成としてもよい。このようにすると、カバーから突出したボスを押圧することにより、他方のコネクタハウジングを正規嵌合位置まで確実に押し込むことができる。また、カバーをフード部に装着する際、ボス挿通孔に挿通されたボスがカバーを正規姿勢に誘導するから、カバーの位置決め作業を容易に行うことができる。
【００１２】
また、他方のコネクタハウジングの嵌合方向の後方側の端面に、他方のコネクタハウジングとフード部との間を水密状態とする一括ゴム栓を設け、ロック受け部を一括ゴム栓よりもフード部における嵌合方向の前方側に設けるようにしてもよい。
【００１３】
例えばコネクタをガソリン等の液体に一部浸けて使用する場合には、コネクタを防水仕様にする必要がある。このような場合、上記構成とすることにより、一括ゴム栓よりも嵌合部側（雄雌端子の接続部側）には例えばロック用等の孔部を設けなくてもよいから、高い防水性を確保することができる。
【００１４】
さらに、カバーに、他方のコネクタハウジングに向けて延びて他方のコネクタハウジングを嵌合方向の後方側から押圧する押さえ部を設ける構成としてもよい。このようにすると、押さえ部が他方のコネクタハウジングを一方のコネクタハウジングに対して直接的、あるいは、一括ゴム栓を介して間接的に押圧することにより、両コネクタハウジングをより確実に正規の嵌合位置とし、保持することができる。
【発明の効果】
【００１５】
本発明のコネクタによれば、コネクタの径方向の大きさを小型化することができるから、径方向のスペースが制約される場合でも使用することができる。
【図面の簡単な説明】
【００１６】
【図１】本実施形態の機器側コネクタハウジングおよび電線側コネクタハウジングの縦断面図
【図２】コネクタの組立過程の縦断面図
【図３】コネクタを組み立てた状態の縦断面図
【図４】コネクタを組み立てた状態の側面図
【図５】コネクタの組立過程の横断面図
【図６】コネクタを組み立てた状態の横断面図
【図７】機器側コネクタの底面図
【図８】機器側コネクタの正面図
【図９】電線側コネクタの平面図
【図１０】電線側コネクタの正面図
【図１１】電線側コネクタの背面図
【図１２】一括ゴム栓の平面図
【図１３】カバーの平面図
【図１４】カバーの正面図
【図１５】カバーの背面図
【発明を実施するための形態】
【００１７】
本発明の一実施形態を図１ないし図１５によって説明する。
【００１８】
本実施形態では、図３に示すように、図示しない機器の取付孔に取り付けられて固定される機器側コネクタ１１（一方のコネクタの一例）と、電線Ｙの末端に接続された雌型端子金具１５を装着する電線側コネクタ２０（他方のコネクタの一例）と、カバー３０と、から構成されるコネクタ１０を例示している。尚、以下の説明において「前」及び「後」とは、コネクタ１１，２０を嵌合させるための操作方向の先側及び後側をいう。
【００１９】
機器側コネクタ１１は、図１中右側に示されており、合成樹脂製の機器側コネクタハウジング１２と、機器側コネクタハウジング１２に取り付けられる雄型端子金具１３とを備える。機器側コネクタハウジング１２は、雄型端子金具１３を内部に収容可能なハウジング本体部（図示せず）と、ハウジング本体部の前方側に設けられ、外観が半円柱形状をなして前方に向けて開口するフード部１４とを有する（図１ないし図８参照）。
【００２０】
より詳細には、フード部１４は、図８に示すように、断面が半円弧状の曲壁１４Ａと、曲壁１４Ａの両端縁を連結する略平板状の連結壁１４Ｂとから形成されている。フード部１４の先端部（図７中左端）付近には、曲壁１４Ａの前後方向に伸びる中心線を挟んだ両側と、曲壁１４Ａの両端付近（連結壁１４Ｂに近い部分）の計４箇所に、後述するカバー３０の弾性係止片３４の係止部３４Ａと係止する矩形の係止孔１５が設けられている。
【００２１】
一方フード部１４の底壁１４Ｃには、雄型端子金具１３のタブ部１３Ａを挿通させるための３つのタブ挿通孔１６が、曲壁１４Ａに沿うように周方向（円弧状）に並んで設けられている（図８参照）。雄型端子金具１３のタブ部１３Ａはこれらタブ挿通孔１６から前方に向けて突出している。
【００２２】
また図８に示すように、底壁１４Ｃのうち、３つに並んだタブ挿通孔１６の内周側からは、曲壁１４Ａに概ね沿って、断面がヘ字形状で前方側に向けて延びる一対の第１ガイド壁１７，１７が設けられており、後述する電線側コネクタハウジング２１を曲壁１４Ａとの間にガイドするようになっている。この第１ガイド壁１７は、電線側コネクタハウジング２１の前後方向の長さと同等とされ、係止孔１５の後方付近まで延びている（図１参照）。
【００２３】
さらに図８に示すように、隣り合うタブ挿通孔１６，１６の間からは、曲壁１４Ａの径方向に沿って配されて、曲壁１４Ａと第１ガイド壁１７とをつなぐ一対の第２ガイド壁１８，１８が、前方側に向けて延びるように設けられている。この第２ガイド壁１８は、フード部１４の前後方向における中央付近まで延びる長さとされている（図１参照）。
【００２４】
一方、電線側コネクタ２０は、図９ないし図１１に示すように、電線Ｙが接続された雌型端子金具２２を収容し、機器側コネクタハウジング１２のフード部１４内に嵌合する合成樹脂製の電線側コネクタハウジング２１を有する。この電線側コネクタハウジング２１は、全体として断面が略扇形の柱状をなしており、前面２３側（図９中右側）には、上述した機器側コネクタハウジング１１の第２ガイド壁１８を受け入れ可能な一対のガイド溝２４，２４が設けられている。これらガイド溝２４は電線側コネクタハウジング２１の前後方向における中央付近までの深さを有し、これにより、電線側コネクタハウジング２１の前方側は３つに分割された形状をなしている（図１０参照）。
【００２５】
この電線側コネクタハウジング２１は、図１および図２に示すように、前後方向の長さがフード部１４の前後方向の長さよりも短く設定されており、全体がフード部１４内に収容されるようになっている。
【００２６】
電線側コネクタハウジング２１には、３つのキャビティ２５が、円弧状に並んで、前後方向に延びるように形成されており、これらキャビティ２５内に雌型端子金具２２が収容可能とされている。電線側コネクタハウジング２１の図１中左側に位置する後面２６には、キャビティ２５内へ雌型端子金具２２を挿入するための挿入口２６Ａが形成されていると共に、前面２３には、雄型端子金具１３のタブ部１３Ａを挿通可能な挿通孔２３Ａが開口しており、これにより各キャビティ２５は、電線側コネクタハウジング２１を前後方向に貫通した状態とされている。各キャビティ２５に収容された雌型端子金具２２は、キャビティ２５内に設けたランス２７にて抜け止めされる。
【００２７】
また、電線側コネクタハウジング２１の後面２６のうち、隣り合う挿入口２６Ａの間からは、一対の棒状のボス２８，２８が、電線側コネクタハウジング２１の後方側に向けて延びるように一体的に設けられている。これら一対のボス２８，２８は、基部側（図１，図９中右側）に設けられた径大部２８Ａと、先端側（図１，図９中左側）に設けられて径大部２８Ａより径が小さい径小部２８Ｂの二段形状とされている。
【００２８】
径大部２８Ａの軸方向の長さは、電線側コネクタハウジング２１が機器側コネクタハウジング１２のフード部１４内の正規の嵌合位置に達した場合に、フード部１４の前端面と径大部２８Ａの後端面（段差部２８Ｃとする）とがほぼ同位置となる長さに設定されている（図２参照）。またボス２８全体の長さは、機器側コネクタハウジング１２に後述するカバー３０が装着された場合に、カバー３０からボス２８（径小部２８Ｂ）の先端が突出する長さに設定されている（図３，図４参照）。
【００２９】
また、図１０および図１１に示すように、キャビティ２５とボス２８との間には、前後方向に貫通する肉抜き部２９Ａが設けられるとともに、ボス２８の外周側、および、キャビティ２５の内周側にも、電線側コネクタハウジング２１の後面２６から前後方向における中央付近まで延びる肉抜き部２９Ｂ，２９Ｃが設けられている。
【００３０】
電線側コネクタハウジング２１の後面２６には、防水用の一括ゴム栓４０が宛われる。一括ゴム栓４０は、図１２に示すように、機器側コネクタハウジング１２のフード部１４の内側にぴったり嵌る半円形の板状をなしている。この一括ゴム栓４０のうち、電線側コネクタハウジング２１の挿入口２６Ａに対応する位置には、電線Ｙを挿通するための電線挿通孔４１が設けられている。また、ボス２８に対応する位置には、ボス２８の径大部２８Ａを挿通するためのボス挿通孔４２が設けられている。これら電線挿通孔４１、および、ボス挿通孔４２は、電線Ｙおよびボス２８の径大部２８Ａの周囲をぴったり覆う大きさに設定されている。
【００３１】
なお、一括ゴム栓４０がフード部１４内の正規の位置（電線側コネクタハウジング２１の後面２６）に設置された場合には、フード部１４の係止孔１５はフード部１４の先端側に露出されるように設定されている。
【００３２】
電線側コネクタ２０の後方側には、カバー３０が設けられる。カバー３０は、電線側コネクタ２０が機器側コネクタハウジング１２のフード部１４内に嵌合された際、フード部１４の開口を電線側コネクタ２０の後方側（機器側コネクタ１１の前方側）から覆うものである。
【００３３】
カバー３０も合成樹脂製であって、図１３ないし図１５に示すように、機器側コネクタハウジング１２のフード部１４の開口の外形とほぼ等しい半円形状とされてその開口をぴったり覆う板状の蓋部３７と、蓋部３７から前方側に向かって延びてフード部１４の内側に嵌る押さえ部３１とを備える。
【００３４】
蓋部３７のうち、電線側コネクタハウジング２１の挿入口２６Ａに対応する位置には、電線Ｙを挿通するための電線挿通孔３２が設けられている。また、ボス２８に対応する位置には、ボス２８の径小部２８Ｂを挿通するためのボス挿通孔３３が設けられている。電線挿通孔３２は、電線Ｙの径よりも大きめに設定されている。ボス挿通孔３３は、ボス２８の径小部２８Ｂの径とほぼ同等に設定されている。
【００３５】
押さえ部３１は、一括ゴム栓４０を電線側コネクタハウジング２１に対して後方側から押圧するものであって、カバー３０がフード部１４に装着された際に、フード部１４の内壁に摺接するように嵌り込む外押さえ部３１Ａと、機器側コネクタハウジング１２の第２ガイド壁１８と重なる方向に延びる一対の内押さえ部３１Ｂ，３１Ｂとを備える（図１４参照）。
【００３６】
また、電線挿通孔３２とボス挿通孔３３の周囲には、これらの挿通孔３２，３３を取り囲むように円筒状に突出する孔押さえ部３１Ｃが形成されている。この孔押さえ部３１Ｃは、電線Ｙおよびボス２８をガイドするガイド壁としても作用するようになっている。なお、ボス挿通孔３３の周囲に設けられる孔押さえ部３１Ｃは、ボス２８の径大部２８Ａの径とほぼ同等の大きさに形成されており、内側にボス２８の段差部２８Ｃを受ける受け部３１Ｄが蓋部３７の板面よりやや窪んで設けられている（図６参照）。
【００３７】
これらの外押さえ部３１Ａ、内押さえ部３１Ｂ、孔押さえ部３１Ｃは、いずれも蓋部３７から同じ高さ分だけ突出しており、先端面が面一となるように設定されている。
【００３８】
またカバー３０には、機器側コネクタハウジング１２のフード部１４の係止孔１５に係止可能な弾性係止片３４が設けられている。弾性係止片３４は、カバー３０が機器側コネクタハウジング１２のフード部１４に装着された際に、係止孔１５と対応する位置（４箇所）に設けられ、蓋部３７から前方側に向けて押さえ部３１よりやや短い長さで片持ち状に延びて、径方向の内側に弾性変形可能とされている。また、先端側には径方向の外側に向けて突出する係止部３４Ａが設けられるとともに、この係止部３４Ａの前方側は、蓋部３７の径方向の内側に向けて傾斜する案内斜面３４Ｂとされている。
【００３９】
この弾性係止片３２は、カバー３０の蓋部３７から径方向の外側に突出しないように設定されている（図１５参照）。すなわち、蓋部３７に設けられた切欠部３５の内側から前方に向けて延出されているとともに、係止部３４Ａの径方向の突出量は、切欠部３５の切り欠き深さよりやや小さい幅とされている。また、図１４に示すように、外押さえ部３１Ａにも切欠部３６が形成されており、この切欠部３６内に弾性係止片３４が配されると共に、切欠部３６内において弾性変形可能となっている。
【００４０】
カバー３０がフード部１４に装着された状態では、弾性係止片３４の係止部３４Ａがフード部１４の係止孔１５に係止することにより、カバー３０と機器側コネクタハウジング１２とが離脱不能にロックされるようになっている。
【００４１】
また、カバー３０がフード部１４に装着されると、押さえ部３１が一括ゴム栓４０を押圧することにより一括ゴム栓４０が電線側コネクタハウジング１２の後面２６に密着し、これにより、フード部１４側からのコネクタ嵌合部（雄雌端子の接続部）内への水の浸入が防止される。
【００４２】
次に、本実施形態の作用について説明する。本実施形態においては、電線Ｙを雌型端子金具２２に接続する際、予めカバー３０の電線挿通孔３２と一括ゴム栓４０の電線挿通孔４１に電線Ｙを挿通させた状態としておく。また、電線Ｙと接続した雌型端子金具２２を電線側コネクタハウジング２１のキャビティ２５内に挿入した後、一括ゴム栓４０を電線側コネクタハウジング２１の後面２６に宛った状態としておくことが好ましい。
【００４３】
機器側コネクタ１１および電線側コネクタ２０を嵌合させる際には、機器側コネクタハウジング１２のフード部１４内に、雌型端子金具２２を収容した電線側コネクタハウジング２１を一括ゴム栓４０とともに挿入する。電線側コネクタハウジング２１は、機器側コネクタハウジング１２の曲壁１４Ａおよび第１ガイド壁１７により外壁をガイドされつつ、奥方へ挿入される。また、機器側コネクタハウジング１２の第２ガイド壁１８が電線側コネクタハウジング２１のガイド溝２４内に進入することにより、機器側コネクタハウジング１２に対して正規の嵌合姿勢にガイドされる。
【００４４】
この時、電線側コネクタハウジング２１には肉抜き部２９が設けられているため、電線側コネクタハウジング２１の剛性低下により、嵌合抵抗が低減されて嵌合作業を円滑に行うことができる。
【００４５】
また、嵌合作業の際は、一対のボス２８，２８を前方に向けて押圧することにより、電線側コネクタハウジング２１をフード部１４の奥方へ押し込むことができる。
【００４６】
電線側コネクタハウジング２１がフード部１４の最奥まで挿入されると、機器側コネクタハウジング１２に対して正規の嵌合位置に到達するが、この時点ではまだ両コネクタハウジング１２，２１はロックされた状態となっていない（図２および図５参照）。
【００４７】
また、嵌合作業の際、一括ゴム栓４０は電線側コネクタハウジング２１の後面２６に宛われているものの、フード部１４内に挿入される際にその内壁と摺接するため、挿入途中で電線側コネクタハウジング２１と離れてしまう場合がある。
【００４８】
次に、カバー３０を機器側コネクタハウジング１２のフード部１４の開口に装着する。カバー３０の押さえ部３１をフード部１４内に挿入させると、まず、弾性係止片３４の案内斜面３４Ｂがフード部１４の内壁に押されて径方向の内側に向けて徐々に撓んだ状態となる。そして係止部３４Ａがフード部１４の係止孔１５まで達すると、弾性係止片３４が弾性復帰して、係止部３４Ａが係止孔１５内に係止する。これにより、押さえ部３１が一括ゴム栓４０を電線側コネクタハウジング２１に対して密着させるとともに、一括ゴム栓４０を介して電線側コネクタハウジング２１を機器側コネクタハウジングに対して保持した状態となり、機器側および電線側のコネクタハウジング１２，２１が正規の嵌合位置にロックされる（図３、図４、図６参照）。
【００４９】
このように、本実施形態のコネクタ１０によれば、機器側および電線側のコネクタハウジング１２，２１の嵌合状態をロックするロック機構（係止孔１５および弾性係止片３４）が、両コネクタハウジング１２，２１の嵌合方向に沿った方向に設けられるカバー３０およびフード部１４に設けられているから、ロック機構がコネクタ１０の径方向に張り出すことがなく、コネクタ１０の径方向の寸法を従来と比較して小型化することができる。
【００５０】
また、電線側コネクタハウジング２１に二段形状のボス２８を設け、カバー３０に、ボス２８の段差部２８Ｃを受ける受け部３１Ｄとボス挿通孔３３を設ける構成としたから、フード部１４に対してカバー３０を装着する際に、ボス挿通孔３３に挿通されたボス２８の径小部２８Ｂがカバー３０を正規姿勢に誘導して位置決め作業が容易になる。また、受け部３１Ｄが段差部２８Ｃを嵌合方向の前方側に向けて押圧するから、電線側コネクタハウジング２１を正規嵌合位置まで確実に押し込むことができる。
【００５１】
また、カバー３０の弾性係止片３４の係止部３４Ａを受ける係止孔１５が、フード部１４の先端付近に設けられており、一括ゴム栓４０は係止孔１４よりもフード部１４における嵌合方向の後方側（雄雌端子の接続部側）に配される構成としたから、雄雌端子の接続部の周囲には孔部等を設けなくてもよく、高い防水性を確保することができる。
【００５２】
さらに、カバー３０に押さえ部３１を設ける構成としたから、押さえ部３１が一括ゴム栓４０を電線側コネクタハウジング２１の後面２６に密着させるとともに、一括ゴム栓４０を介して電線側コネクタハウジング２１を押圧することにより、両コネクタハウジング１２，２１をより確実に正規の嵌合位置とし、保持することができる。
【００５３】
＜他の実施形態＞
本発明は上記記述及び図面によって説明した実施形態に限定されるものではなく、例えば次のような実施形態も本発明の技術的範囲に含まれる。
【００５４】
（１）上記実施形態では、弾性係止片３４の係止部３４Ａをフード部１４の係止孔１５に係止させる構成としたが、弾性係止片３４に係止孔を設け、フード部に設けた係止突部を係止させる構成としてもよい。
【００５５】
（２）上記実施形態では、ボス２８を径大部２８Ａと径小部２８Ｂの二段形状としたが、同径の棒状や角柱状としてもよい。
【００５６】
（３）また、カバー３０に必ずしもボス挿通孔３３を設ける必要はなく、ボス受け部だけを設けて、ボス受け部でボスを押圧することにより他方のコネクタハウジングを一方のコネクタハウジングの正規嵌合位置に押し込むようにしてもよい。
【００５７】
（４）あるいは、カバー３０に必ずしも受け部３１Ｄを設ける必要はなく、ボス挿通孔だけを設けて、ボス挿通孔から突出したボスを押圧することにより他方のコネクタハウジングを一方のコネクタハウジングの正規嵌合位置に押し込むようにしてもよい。
【００５８】
（５）コネクタを防水仕様にしなくていい場合には、必ずしも一括ゴム栓を設けなくてもよい。
【００５９】
（６）また、上記実施形態では、カバー３０に蓋部３７から嵌合方向の前方側に向けて延びる押さえ部３１を設ける構成としたが、蓋部３７自体で他方のコネクタハウジングを他方のコネクタハウジングに向けて押圧・保持する構成とすることもできる。
【符号の説明】
【００６０】
１０…コネクタ
１１…機器側コネクタ
１２…機器側コネクタハウジング（一方のコネクタハウジング）
１４…フード部
１５…係止孔（ロック機構・ロック受け部）
２０…電線側コネクタ
２１…電線側コネクタハウジング（他方のコネクタハウジング）
２８…ボス
２８Ａ…径大部
２８Ｂ…径小部
２８Ｃ…段差部
３０…カバー
３１…押さえ部
３１Ａ…外押さえ部
３１Ｂ…内押さえ部
３１Ｃ…孔押さえ部
３１Ｄ…受け部（ボス受け部）
３２…押さえ部
３３…ボス挿通孔
３７…蓋部
３４…弾性係止片（ロック機構・弾性ロック片）
３４Ａ…係止部（ロック機構）
４０…一括ゴム栓
【図１】
2014212064.tif 000003
【図２】
2014212064.tif 000004
【図３】
2014212064.tif 000005
【図４】
2014212064.tif 000006
【図５】
2014212064.tif 000007
【図６】
2014212064.tif 000008
【図７】
2014212064.tif 000009
【図８】
2014212064.tif 000010
【図９】
2014212064.tif 000011
【図１０】
2014212064.tif 000012
【図１１】
2014212064.tif 000013
【図１２】
2014212064.tif 000014
【図１３】
2014212064.tif 000015
【図１４】
2014212064.tif 000016
【図１５】
2014212064.tif 000017